(57)【特許請求の範囲】
【請求項１】
無線通信システムにおけるチャネル割り当てのシグナリング方法において、
少なくとも１つの基地局（ノードＢ）にデータベースを設け、該データベースにダウンリンクチャネル（ＤＳＣＨ）またはアップリンクチャネル（ＵＳＣＨ）のためのいわゆる「ＰＤＳＣＨセット」または「ＰＵＳＣＨセット」、すなわち物理チャネルのグループから構成されている少なくとも１つのチャネル組み合わせ、および無線セルにおいて使用する複数のグループ内において一義的に該グループを確認する短縮アドレス（「ＰＤＳＣＨセットＩｄ」または「ＰＵＳＣＨセットＩｄ」）をエントリとして記憶し、
基地局制御装置（ＲＮＣ）におけるダイナミックなリソース割り当て装置（スケジューラ）が、加入者サービスと物理チャネルとの間の割り当てをダイナミックに決定し、該割り当てを、直接的または間接的に前記データベースのエントリを指示する短縮アドレスを用いて前記基地局（ノードＢ）にシグナリングし、
前記基地局（ノードＢ）は前記基地局制御装置（ＲＮＣ）から受信した短縮アドレスに基づき、使用するチャネル組み合わせを選択することを特徴とする、無線通信システムにおけるチャネル割り当てのシグナリング方法。
【請求項２】
前記データベースに記憶された前記チャネル組み合わせを、前記基地局制御装置が加入者局及び／又はサービスに割り当てる、請求項１記載の方法。
【請求項３】
前記データベースに記憶された前記チャネル組み合わせを必要に応じて、前記基地局制御装置（ＲＮＣ）における上位無線リソース管理部によって処理する、請求項１または２記載の方法。
【請求項４】
無線通信システムはＦＤＤ方式をサポートし、物理チャネルを周波数チャネル及びコネクション固有の拡散符号（ＣＤＭＡ符号）によって規定する、請求項１から３のいずれか１項記載の方法。
【請求項５】
無線通信システムはＴＤＤ方式をサポートし、物理チャネルを少なくとも、タイムスロット及びコネクション固有の拡散符号（ＣＤＭＡ符号）によって規定する、請求項１から３のいずれか１項記載の方法。
【請求項６】
前記データベースにおける前記エントリはさらに、前記物理チャネルのグループを使用するための付加情報（例えば「該グループのどのチャネルにいわゆるＴＦＣＩが記述されるべきか」）を有する、請求項１から５のいずれか１項記載の方法。
【請求項７】
ダウンリンク伝送方向（ＤＳＣＨ）において、前記基地局（ノードＢ）内の前記データベースの前記エントリを指示する前記短縮アドレスを、付加情報としてＩｕｂインタフェース上のＤＳＣＨデータパケットに挿入し、該付加情報を有効データの先頭に置くかまたは添付する、請求項１から６のいずれか１項記載の方法。
【請求項８】
ダウンリンク伝送方向では前記短縮アドレスを、前記チャネル組み合わせの有効性持続時間を記述する別個の制御フレームで、すなわちＤＳＣＨデータパケット自体の内部ではなく、前記基地局（ノードＢ）に伝送する、請求項１から７のいずれか１項記載の方法。
【請求項９】
アップリンクデータ伝送のために、前記短縮アドレスを前記基地局制御装置（ＲＮＣ）から前記基地局（ノードＢ）へと所定の制御フレームで伝送し、該伝送時に各アップリンクデータパケットに１つのダウンリンク制御フレームを割り当てるか、ダウンリンク制御フレームを複数のアップリンクＵＳＣＨデータフレームに適用させ、該制御フレームはチャネル割り当ての有効性持続時間に関する指示を含む、請求項１から８のいずれか１項記載の方法。
【請求項１０】
前記基地局（ノードＢ）の前記基地局制御装置（ＲＮＣ）が、選択された前記物理チャネル組み合わせを指示する際に用いる前記短縮アドレスを、加入者局（ＵＥ）のための情報としても無線インタフェースを介して伝送し、該伝送は例えば該短縮アドレスを該加入者局（ＵＥ）へと伝送するトランスポートフォーマット組み合わせ識別子に挿入して符号化することによって行う、請求項１から９のいずれか１項記載の方法。
【請求項１１】
前記短縮アドレスを前記基地局（ノードＢ）においてのみ使用するが、無線インタフェースでは前記加入者局（ＵＥ）に伝送しない、請求項１から１０のいずれか１項記載の方法。
【請求項１２】
事前にコンフィギュレーションされた物理チャネルまたはチャネル組み合わせを指示する前記短縮アドレスを、前記基地局（ノードＢ）に対する情報のためだけでなく、前記加入者局（ＵＥ）にシグナリングするＲＲＣ通知またはその他のチャネル割り当て通知の内部においても使用する、請求項１から１１のいずれか１項記載の方法。
【請求項１３】
前記データベース内の複数のチャネル組み合わせの各々をそれぞれ１つの所定の加入者局（ＵＥ）に、前記基地局（ノードＢ）における所定の「ＵＥ通信文脈」の意味において割り当て、該チャネル組み合わせを該加入者局（ＵＥ）にのみ割り当てる、請求項１から１１のいずれか１項記載の方法。
【請求項１４】
割り当てられたチャネルにおいてチャネルデータ伝送を行う、請求項１から１３のいずれか１項記載の方法。
【請求項１５】
請求項１記載の方法を実施することを特徴とする、無線通信システムの基地局システム（ＲＮＣ、ノードＢ）。
【請求項１６】
前記無線通信システムは移動無線システムとして構成されている、請求項１５記載の基地局システム（ＲＮＣ、ノードＢ）。
【発明の詳細な説明】
【０００１】
本発明は、例えば基地局制御装置と移動無線システムの基地局との間での、無線通信システムにおけるチャネル割り当てのシグナリング方法に関する。
【０００２】
図１には、参照する従来技術［２５．４０１］の１１頁に応じた、将来的なユニバーサルな遠隔通信システムＵＭＴＳ（Ｕｎｉｖｅｒｓａｌ  Ｍｏｂｉｌｅ  Ｔｅｌｅｋｏｍｍｕｎｉｋａｔｉｏｎｓ  Ｓｙｓｔｅｍ）の論理構造が例示されているが、本発明はこれに制限されるものではない。
【０００３】
いわゆる無線インタフェースを介して、少なくとも１つのベースステーションノードＢと複数の加入者局ＵＥ（Ｕｓｅｒ  Ｅｑｕｉｐｍｅｎｔ）との間のコネクションが確立される。これらの加入者局ＵＥは例えば移動送受信機器、しかしながらまた定置の送受信機器でも良く、無線通信システムの最下位の構成部分である。１つの基地局ノードＢは、１から数平方キロメートル大の無線ゾーン、いわゆる無線セルＺを管理する。無線ゾーンは空間的に制限されるので、データを変調し伝送する狭い範囲の搬送周波数を、相互干渉（内部セル干渉）が生じることなく、所定の距離において同時に再利用することができる。複数の無線セルＺはこのために、基地局制御装置ＲＮＣ（Ｒａｄｉｏ  Ｎｅｔｗｏｒｋ  Ｃｏｎｔｒｏｌｌｅｒ）によって管理される共通の無線領域ＲＮＳ（Ｒａｄｉｏ  Ｎｅｔｗｏｒｋ  Ｓｕｂｓｙｓｔｅｍ）を形成する。複数の無線領域ＲＮＳは１つの無線網（ＵＴＲＡＮ＝Ｕｎｉｖｅｒｓａｌ  Ｔｅｌｅｃｏｍｍｕｎｉｃａｔｉｏｎｓ  Ｒａｄｉｏ  Ａｃｃｅｓｓ  Ｎｅｔｗｏｒｋ）を形成し、この無線網を介して移動通信システムＵＭＴＳのコアネットワークＣＮ（Ｃｏｒｅ  Ｎｅｔｗｏｒｋ）とのコネクションが確立され、またこれは例えば、アナログ及びディジタルの固定網ＰＳＴＮ、ＩＳＤＮへのアクセス、固有のパケット交換網、例えばＡＴＭ（Ａｓｙｎｃｈｒｏｎ  Ｔｒａｎｓｆｅｒ  Ｍｏｄｅ）網及びＩＰ（Ｉｎｔｅｒｎｅｔ  Ｐｒｏｔｏｃｏｌ）網へのアクセス、または別の移動無線網へのアクセスを可能にする。
【０００４】
搬送周波数において供給される全体のスペクトルの要求をより良く使用できるようにするために、１つのチャネルの伝送容量を複数のコネクションに分割する、周波数、時間及び拡散符号選択的な多元接続に基づく同期式の多元方式が使用された。これらの多元方式は相応に、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）及びＣＤＭＡ（Ｃｏｄｅ  Ｄｉｖｉｓｉｏｎ  Ｍｕｌｔｉｐｌｅ  Ａｃｃｅｓｓ）と称される。これに関して無線基地局に取り入れられた送信機と受信機との間の取り決めにおいて、送信及び受信同期周波数帯域、タイムスロット及び／又は符号から成る固定的な所定の割り当てが使用される。
【０００５】
移動無線システムの課題は、例えば音声のような継続的なデータストリームも、パケットデータサービス及びインターネットアクセスのための非継続的なデータも伝送することである。例えば、ＧＳＭのような第２世代のシステムよりも性能の点で優れているであろう「第３世代」の新たなシステムは、例えばこれらのパケットデータサービスのために効率的な解決策を提供し、かつ僅かな無線リソースを最適に使用するべきである。
【０００６】
またパケットデータサービスのために物理的な無線リソースないし無線チャネルを効率的に使用することに対して以下の２つの事が要求される。すなわち、
１）データパケットが伝送されるやいなや、無線チャネルを可能な限り遅延すること無く、例えば数百分の１秒以内で、このサービス及び該当する移動無線加入者に供給すべきである。
２）有効データが伝送されない伝送休止期間においては、物理的チャネルは可能な限り迅速に解放されるべきであり、別のサービスないし別の移動無線加入者のために供給されるべきである。
【０００７】
これらの要求は、基地局から加入者局への伝送（ＤＬ、ダウンリンク）にも、加入者局から移動無線網の基地局への伝送（ＵＬ、アップリンク）にも妥当する。
【０００８】
ここで通常の場合、各基地局に対して１つの中央リソース割り当て装置を必要とする。この中央リソース割り当て装置はいわゆる「スケジューリング」を行い、すなわち無線リソースをダイナミックに加入者に、また伝送リソースに対する目下の要求が存在するサービスに割り当てる。この「スケジューラ」は、基地局が有することができるか、または市販の基地局制御装置に取り付けることができる。
【０００９】
ＵＭＴＳ移動無線システムの例として考察されるいわゆるＵＴＲＡ規格（［２５．３０１］及び［２５．４０１］を参照されたい）においては、スケジューラは市販の基地局制御装置（ＲＮＣ、Ｒａｄｉｏ  Ｎｅｔｗｏｒｋ  Ｃｏｎｔｒｏｌｌｅｒ）に取り付けられている。
【００１０】
このスケジューラの「スケジューリング」決定は、その都度加入者局にも移動無線網の基地局にも伝達される必要があり、何故ならばエアインタフェース（Ｕｕ、無線インタフェース）の両端はそのそれぞれの送信装置ないし受信装置を、パケットデータ伝送の時間にわたり、相互にチューニングする必要があるからである。これらの装置は全く同一の物理チャネル、例えばＴＤＤモード（Ｔｉｍｅ  Ｄｉｖｉｓｉｏｎ  Ｄｕｐｌｅｘ）の場合では例えば同一の周波数、同一のタイムスロット、場合によっては同一のＣＤＭＡ符号化方式を使用しなければならず、また基地局はこれに加えこれらの無線チャネルを正しいＩｕｂインタフェースチャネルに割り当てなければならない。これらのＩｕｂインタフェースチャネルは、ＵＴＲＡ規格、Ｉｕｂインタフェース原理（［２５．４３０］を参照されたい）にしたがい、個々の加入者局及びこの加入者局のいわゆるトラフィックチャネル（トランスポートチャネル）に割り当てられている。
【００１１】
目下のところ、標準化団体（３ＧＰＰ、３ｒｄ  Ｇｅｎｅｒａｔｉｏｎ  Ｐａｒｔｎｅｒｓｃｈｉｐ  Ｐｒｏｊｅｃｔ）における世界規模の協力のもとに、いわゆる「ＵＭＴＳ  Ｔｅｒｒｅｓｔｒｉａｌ  Ｒａｄｉｏ  Ａｃｃｅｓｓ」（ＵＴＲＡ）規格が開発されている。この規格は２つのモードを有する。すなわち
１）アップリンク及びダウンリンクに対して異なる周波数でもって動作するＦＤＤモード（ＦＤＤ＝周波数分割双方向伝送）。
２）アップリンク及びダウンリンクに対して同一の周波数でもって動作するＴＤＤモード（ＴＤＤ＝時分割双方向伝送）。
【００１２】
ＴＤＤモードは伝送時間を、それぞれが１０ｍｓｅｃの長さの時間フレーム、いわゆる「無線フレーム」に分割し、この時間フレームはさらに１５のタイムスロットに分割される（［２５．２２１］を参照されたい）。伝送方向の分離は、個々のタイムスロットが部分的にアップリンクＵＬに対して、また部分的にダウンリンクＤＬに対して割り当てられることによって実行される。ＴＤＤモードのための無線インタフェースの構造は図２に示されている。
【００１３】
２つのモードＦＤＤ及びＴＤＤのために、３ＧＰＰの規格では既にパケットデータサービス用のチャネル割り当て方式が開発されている（［２５．３２１］及び［２５．３３１］を参照されたい）。ここで２つのモードにおいては、物理チャネルを短時間で、例えばデータパケットを伝送する持続時間（典型的な持続時間は４０ｍｓｅｃから数秒の間）で、所定の加入者局に割り当てることができる。
【００１４】
ここでしかしながらこの割り当ては、全ての無線加入者の利益を考慮する中央「スケジューラ」でもって一貫して行われるのではなく、部分的にまた簡略に中央から離れたユニットにおいて行われる。この際にしかしながら無線リソースを、中央スケジューラが使用する場合のように完全には使用することができない。
【００１５】
ここでＦＤＤ及びＴＤＤモードのために選択される解決策は異なる。
−ＦＤＤモードにおいては原則として、加入者局と基地局との間の通信コネクションの時間にわたり、無線周波数及びいわゆるＣＤＭＡ符号によって特徴付けられている「個別物理チャネル」が形成される。このチャネルを２つの伝送方向で加入者局は使用することができ、それどころか有効データがまったく伝送されない伝送休止期間の時間においても使用することができる。さらにこのチャネルを何時でもシグナリングのために使用することができる。
−これに対してＴＤＤモードにおいてはパケットデータサービスのために、パケットを目下伝送できるときにのみ形成される物理チャネルが使用される。伝送休止期間では、無線インタフェース上の物理コネクションの機能は完全に停止される。これらのチャネルを、ダウンリンク共有チャネル（Ｄｏｗｎｌｉｎｋ  Ｓｈａｒｅｄ  Ｃｈａｎｎｅｌ、ＤＳＣＨ）ないし物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、アップリンク共有チャネル（Ｕｐｌｉｎｋ  Ｓｈａｒｅｄ  Ｃｈａｎｎｅｌ、ＵＳＣＨ）ないし物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）と呼ぶ。
【００１６】
これらのいわゆる共有チャネルが、持続的な個別無線コネクションは同時には設けられないＴＤＤモードにおいて使用される場合、このことはＴＤＤモードにおいては通常の場合であるが、この共有チャネルはいわゆる「独立共有チャネル」と称される。
【００１７】
伝送休止期間では共有チャネル（ＤＳＣＨ及びＵＳＣＨ）の場合、確かにいわゆる「トランスポートチャネル」ＤＳＣＨないしＵＳＣＨが成立したままである（「論理コネクション」は確立されたままであると言える）が、これらのチャネルには物理リソースＰＤＳＣＨないしＰＵＳＣＨは割り当てられない。
【００１８】
既述のように、ＰＤＳＣＨないしＰＵＳＣＨチャネルの形成及び解除に関する決定、使用すべきチャネルパラメータ（タイムスロット及び符号）に関する決定及びどのサービス及びどの加入者がこれらのリソースを使用して良いかの決定は、中央「スケジューラ」によって（ただしＴＤＤモードではＲＮＣにおける「Ｒａｄｉｏ  Ｒｅｓｏｕｒｃｅ  Ｃｏｎｔｒｏｌ」によって、ＦＤＤモードではＲＮＣにおける「ＭＡＣ−ｃ／ｓｈ」によって）行われる。この場合この決定は、一方では該当する加入者局に伝達する必要があり、他方では該当する基地局にも伝達する必要がある。
【００１９】
ここで基地局制御器ＲＮＣと基地局ノードＢとの間の通信は以下の基準を充足する必要がある。すなわち、
１）迅速性：少なくとも加入者局への所属の通知と同等の速度であること。基地局ノードＢにおけるリソースの占有または解放は、少なくとも加入者局におけるそれと同等の速さで行われるなければならない。
２）誤り防止：データ損失の危険は僅かでなければならない。しかしながら伝送誤りが生じた場合には、これらの誤りによる影響は最小限にとどまるべきである。
３）基地局における容量を超過しない：基地局の性能は例えばハードウェア、アーキテクチャなどによって決定される。したがって出力能力の上限、すなわち同時に存在するチャネルの個数、最大送信能力などが存在する。基地局制御装置ＲＮＣが基地局ノードＢに機能を要求する、例えばＰＤＳＣＨを使用し始めると、一方では基地局制御装置は基地局ノードＢの最大容量を識別し、それにより基地局制御装置は基地局ノードＢに過度の要求をせず、他方では基地局ノードＢは命令を拒絶する可能性を有する。
【００２０】
これらの問題を回避するために、複数の解決策が提案された。これを以下簡潔に説明する。
【００２１】
提案１は問題の回避に関する。これらのパケットデータチャネルを以下のように表すことができるであろう。すなわち基地局には加入者局及びそのサービスへの物理チャネルの割り当てに関する情報が与えられる必要はない。基地局ノードＢはこの場合簡潔に、加入者局に依存しない物理チャネルをサポートし、またＩｕｂインタフェース上のチャネルも「共有」であり、加入者局に依存しないであろう。残りの問題、すなわち加入者データのこの「共有された」チャネルへの多元化は、基地局ノードＢではなく基地局制御装置ＲＮＣによって行われる。しかしながらこの方式は、使用されるチャネルがその帯域幅及び有効性において全て同一である必要があり、かつこれらのチャネルのユーザは同じチャネル特性も全て要求しなければならないという不都合を有する。この特別な場合に対してのみ、第１に同一のチャネルを選択的に複数のユーザによって使用することができ（ここで全てのユーザは同一のチャネル特性を得る）、第２にこのような場合にのみユーザはそれぞれ任意の自由なチャネルをその目的のために使用することができる。
【００２２】
提案２は、いわゆるトランスポートフォーマット識別子（ＴＦＩ）における物理チャネルの暗黙の符号化に関する。これはＦＤＤモードのために提案された。この提案はＴＦＩを十分に使用するという着想に基づく。このＴＦＩはＵＴＲＡでは、Ｉｕｂインタフェース上において各トランスポートチャネルデータフレームに添付され、また下り方向（ダウンリンク）においてどのようにデータを伝送することができるか、または上り方向（アップリンク）においてどのようにデータが受信されたかについての情報を与える（［２５．３０２］を参照されたい）。ここでＴＦＩ（典型的には８ビット）は単にいわゆる「トランスポートフォーマット」を表すのではなく、ＤＳＣＨのための「チャネル化符号」（すなわち物理チャネル）も表す。しかしながらこのことは、加入者局ＵＥ毎にＤＳＣＨが１つだけ使用される場合のみ重要であるので、各時点では１つのＴＦＩのみが有効である。しかしながらＦＤＤモードにもＴＤＤモードにも、時として１つの加入者局につき複数のＤＳＣＨが使用されている。チャネル化符号に関する情報を、同時に有効である（ＤＳＣＨ毎に１つのＴＦＩが有効である）全てのＴＦＩに挿入して符号化することは重要ではないので、ＰＤＳＣＨ符号をＴＦＩにおいて示すこの提案は既に再び却下されている。これに加えこの解決策は下り方向（ダウンリンク）（すなわちＤＳＣＨ）にしか使用できず、上り方向（アップリンク）には使用できない。何故ならばＴＦＩはＵＳＣＨの場合、基地局ノードＢから基地局制御装置ＲＮＣへと伝送されるが、しかしながらスケジューリング情報はこれとは全く逆に基地局制御装置ＲＮＣからノードＢへと到達しなければならないからである。
【００２３】
提案３は、「レイヤ３」シグナリング通知、すなわちいわゆる「ＮＢＡＰ」メッセージの使用を内容とする。ここではＴＤＤ−ＤＳＣＨ及びＴＤＤ−ＵＳＣＨに対して、物理リソースのダイナミックな割り当てを基地局ノードＢの「ＮＢＡＰメッセージ」によってシグナリングすることが提案された。ＮＢＡＰ（ＮｏｄｅＢ  Ａｐｐｌｉｃａｔｉｏｎ  Ｐａｒｔ）はＩｕｂインタフェース上における「無線関連シグナリング（Ｒａｄｉｏ  ｒｅｌａｔｅｄ  ｓｉｇｎａｌｌｉｎｇ）」である（［２５．４３３］を参照されたい）。しかしながらこれは非常に繁雑かつ非効率的な方式である。何故ならば１つのデータパケットに対して１つの物理チャネルを設定するために、すなわち平均して１秒につき１度また加入者毎に３つのＮＢＡＰメッセージ（無線リンク再コンフィギュレーションの準備、レディ、コミット、Ｒａｄｉｏ  Ｌｉｎｋ  Ｒｅｃｏｎｆｉｇｕｒａｔｉｏｎ  Ｐｒｅｐａｒｅ、Ｒｅａｄｙ、Ｃｏｍｍｉｔ）が必要とされ、Ｉｕｂインタフェース上でのＮＢＡＰメッセージの伝送時間は、トランスポートチャネル有効データを伝送するための「フレームプロトコル」と異なり時間に関しては最適ではないからである。ＮＢＡＰメッセージは、例えばコネクションの形成及び解除のような一度だけのプロセスに対して最適であり、持続的なダイナミックな割り当てには適していない。
【００２４】
本発明の課題は迅速且つ効率的なチャネル割り当てのシグナリングを実現することである。この課題は独立請求項記載の特徴によって解決される。実施形態は従属請求項に記載されている。
【００２５】
本発明によれば、基地局にデータベースが設けられており、このデータベースにおいてはＤＳＣＨ及びＵＳＣＨのために使用することができる物理チャネルないしチャネル組み合わせが事前にコンフィギュレーションされ、これらのチャネルはその後「短縮アドレス」と称されるアドレスでもって選択することができる。
【００２６】
さらに本発明によれば、例えば上述のＮＢＡＰメッセージがデータベースにおけるエントリの調整および再コンフィギュレーションのために使用される。このメッセージは確かに比較的緩慢なレイヤ３プロシージャであるが、しかしながら良好に誤りを処理することができる。したがって本発明によれば、チャネル割り当て自体の迅速でダイナミックなプロセスために、いわゆる「ＤＳＣＨフレームプロトコル」ないし「ＵＳＣＨフレームプロトコル」（フレームプロトコル）が使用され（［２５．４３５］を参照されたい）、このプロトコルはまた有効データ伝送自体のためにも使用され、Ｉｕｂインタフェース上での短いメッセージ（通知）及び短いメッセージの遅延時間によって特徴付けられ、しがたってこの非常に頻繁に使用すべきプロセスに良好に適している。このフレームプロトコルのメッセージにおいては、データバンクエントリの既述の「省略アドレス」がさらに使用され、データベースの完全なエントリ（物理チャネルの組み合わせ）はもはや伝送されない。
【００２７】
したがって、ＤＳＣＨのためのいわゆる「ＰＤＳＣＨセット」及びＵＳＣＨのための「ＰＵＳＣＨセット」が基地局ノードＢにおいて導入される。
【００２８】
続いて、Ｉｕｂインタフェース上の各ＤＳＣＨデータフレームにおいては「ポインタ」、すなわち「ＰＤＳＣＨセットＩｄ」が組み込まれる。このポインタはどのＰＤＳＣＨセットを使用することができるかを基地局ノードＢに伝える。
【００２９】
（アップリンクにおける）ＵＳＣＨに対しては、「共通チャネル制御フレーム（Ｃｏｍｍｏｎ  Ｃｈａｎｎｅｌ  Ｃｏｎｔｒｏｌ  Ｆｒａｍｅ）」でもって処理される。この共通チャネル制御フレームはいわゆるＰＵＳＣＨセットＩｄ（ＰＵＳＣＨセット識別子）を含み、有効性持続時間（フレーム番号列）、すなわち（論理）ＵＳＣＨと（物理）ＰＵＳＣＨセットとの間の割り当てが有効であるべき無線フレームを記述する。
【００３０】
この方式は一方では、このポインタすなわち省略アドレスだけを大概使用するので迅速であるが、他方ではまた誤りに対しても問題ない。何故ならば、基地局ノードＢはＰＤＳＣＨセット及びＰＵＳＣＨセットをコンフィギュレーションする際に、記述した物理的な基地局能力を上回っているような場合には、この要求を拒絶することができるからである。
【００３１】
したがって有利には以下の要求が充足される。すなわち、
−ＲＮＣとノードＢとの間のダイナミックなチャネル割り当ての効率的、迅速なシグナリング。
−物理チャネルを設ける際の十分な誤り処理。
−ＤＳＣＨ及びＵＳＣＨ（ダウンリンク及びアップリンク共有チャネル）に使用できる。
−共有チャネルの他にさらに、シグナリングにも使用することができるＵＥへの個別物理チャネルも生じている場合であっても、「独立共有チャネル」において使用できる。一方３ＧＰＰ規格における従来のＤＳＣＨシグナリングの解決策は後者、すなわちＦＤＤでの典型的な場合しかカバーしない。
−ＦＤＤモードにもＴＤＤモードにも使用できる。すなわちＦＤＤ−ＤＳＣＨ、ＴＤＤ−ＤＳＣＨ及びＴＤＤ−ＵＳＣＨにも相応に使用できる。一方従来の３ＧＰＰ規格の解決策（ＴＦＩの使用、上述の説明を参照されたい）はＦＤＤ−ＤＳＣＨにしか使用できず、また既述したように制限的にしかこれを使用できない。
【００３２】
本発明によれば、加入者に依存するＵＳＤＨ／ＤＳＣＨデータコネクションの部分と、加入者に依存しない部分、従って基地局ノードＢおいて全ての加入者及びその加入者のサービスのために使用できるデータベースで事前にコンフィギュレーションできる部分との間のインタフェースが検出される。ここで加入者に依存しないチャネルコンポーネントは「ＰＤＳＣＨセット」及び「ＰＵＳＣＨセット」である。加入者に依存するチャネルコンポーネントはトランスポートフォーマットの特性、すなわちブロック量、符号化率、誤り訂正、個々のトランスポートチャネルの帯域幅の要求である。
【００３３】
この分離によって、伝送チャネルＤＳＣＨ及びＵＳＣＨの重要な部分を事前にコンフィギュレーションすることができる。物理特性（タイムスロット、ＣＤＭＡ符号）は加入者に依存せずに事前にコンフィギュレーションされる。次いでさらに、この事前のコンフィギュレーションのために「緩慢な」レイヤ３プロシージャが使用されるが、事前にコンフィギュレーションされたＰＤＳＣＨセット及びＰＵＳＣＨセットを迅速に、また「短縮アドレス」の変更による呼びかけに応じて「使用」する。
【００３４】
ＵＳＣＨ／ＤＳＣＨチャネルの加入者に依存するチャネルコンポーネントは、同様に個別チャネル（ＤＣＨ）に応じて、基地局ノードＢにおいて事前にコンフィギュレーションされる。ＵＳＣＨ／ＤＳＣＨのためにもＤＣＨのためにも、加入者に依存する「通信文脈（Ｃｏｍｍｕｎｉｃａｔｉｏｎ  Ｃｏｎｔｅｘｔｓ）」における「トランスポートチャネル」特性（トランスポートフォーマット、誤り訂正符号率など）が、基地局ノードＢにおいてコンフィギュレーションされる。これらのノードＢデータをそれぞれのＵＳＣＨ／ＤＳＣＨチャネルに割り当てることは、Ｉｕｂインタフェース上で「フレームプロトコル」におけるＵＳＣＨ／ＤＳＣＨデータをトランスポートするために使用されるアドレスに基づいて行われる。
【００３５】
図３には、［２５．４３０］から公知の基地局ノードＢの論理モデルが図示されている。ここで「Ｉｕｂ」で示された破線の下方には、基地局ノードＢの重要なコンポーネントが図示されている。
【００３６】
これらのコンポーネントは以下のものである。すなわち、
−無線インタフェース上の物理チャネルの統合体である「セル」の列。各セルは所定の供給領域内の加入者局ＵＥへのチャネルを含む。
−ＲＮＣへと向かう「Ｉｕｂデータポート」及び「制御ポート」の列。これらはＩｕｂインタフェース上のチャネルである（事実上ＡＡＬ２ないしＡＡＬ５コネクション（相応の適合レイヤ（Ａｄａｐｔａｔｉｏｎ  Ｌａｙｅｒ）を用いるＡＴＭ）によって実現される）。
−「ノードＢ通信文脈」。これらは目下の個別チャネル（ＤＣＨ）または共有チャネル（ＵＳＣＨ、ＤＳＣＨ）を使用するＵＥに対するＵＥ固有の情報を含む。
−「属性を備えた、共通トランスポートチャネル」。これは加入者に依存しないチャネルパラメータがファイルされているデータベースである。
【００３７】
本発明では以下のことが提案される。すなわち、（加入者に割り当てられた）ＤＳＣＨ及びＵＳＣＨトランスポートチャネルをダイナミックに使用することを目的として、ブロック「属性を備えた、共通トランスポートチャネル」に既述の加入者に依存しない「ＰＤＳＣＨセット」及び「ＰＵＳＣＨセット」を設ける。
【００３８】
図４には、２つの異なる時点Ｔ１及びＴ２における、２つの異なるＣＣＴｒＣＨを持つＤＳＣＨに基づくＰＤＳＣＨセット（各ハッチングはそれぞれ１つのＰＤＳＣＨセットに対応する）のダイナミックなマッピングが図示されている。ＰＤＳＣＨセットは基地局ノードＢにおける「共通トランスポートチャネル」データベースを規定している。一方ＴＦＳ及びＴＦＣＳを含むＤＳＣＨは、加入者通信文脈の一部である。
【００３９】
図４は、基地局ノードＢにおけるコンポーネント及びデータベースエントリを示し、これらはＤＳＣＨ（ダウンリンク共有チャネル）を処理する。上部には例示的に２つの「通信文脈（通信関係）」、すなわち加入者に依存する加入者エントリが示されている。そこではＤＳＣＨの処理、すなわち符号化、多元化、分割が示されている。
【００４０】
下部には複数の「ＰＤＳＣＨセット」が図示されている。これらは、升目で表された「リソースユニット」（ＲＵ）をそれぞれ１つ有する。ここで各ＲＵは、（水平軸における）１６のタイムスロット及び（垂直軸における、約８から１６の）ＣＤＭＡ符号によって与えられている。（例えば各無線フレームに）規則的に占有される１つのＲＵを、「物理チャネル」と称することもできる。
【００４１】
参考文献（全ての文献は３ＧＰＰの仕様書である）：
［２５．４０１］  ３ＧＰＰ  Ｔｅｃｈｎｉｃａｌ  Ｓｐｅｃｉｆｉｃａｔｉｏｎ  ３Ｇ  ＴＳ  ２５．４３０  ｖｅｒｓｉｏｎ  ３．１．０「ＵＴＲＡＮ  Ｏｖｅｒａｌｌ  ｄｅｓｃｒｉｐｔｉｏｎ」（ネットワークアーキテクチャの概要）
［２５．３０１］  ３Ｇ  ＴＳ  ２５．３０１、ＵＴＲＡＮ  Ｒａｄｉｏ  Ｉｎｔｅｒｆａｃｅ  Ｐｒｏｔｏｃｏｌ  Ａｒｃｈｉｔｅｃｔｕｒｅ
［２５．３０２］  ３Ｇ  ＴＳ  ２５．３０２、Ｒｅｑｕｉｒｅｍｅｎｔｓ  ｆｒｏｍ  Ｌａｙｅｒ  ２  ｔｏ  Ｌａｙｅｒ  １
［２５．４３０］  ３ＧＰＰ  Ｔｅｃｈｎｉｃａｌ  Ｓｐｅｃｉｆｉｃａｔｉｏｎ  ３Ｇ  ＴＳ  ２５．４０１  ｖｅｒｓｉｏｎ  ３．０．０「ＵＴＲＡＮ  Ｉｕｂ  ｉｎｔｅｒｆａｃｅ：Ｇｅｎｅｒａｌ  Ａｓｐｅｃｔｓ  ａｎｄ  Ｐｒｉｎｃｉｐｌｅｓ」（ＲＮＣとノードＢとの間のＩｕｂインタフェース上のチャネル構造；並びにノードＢの観念的無線モデル）
［２５．２１１］  ３ＧＰＰ  Ｔｅｃｈｎｉｃａｌ  Ｓｐｅｃｉｆｉｃａｔｉｏｎ  ３Ｇ  ＴＳ  ２５．２１１  ｖｅｒｓｉｏｎ  ３．１．０「Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌ  ｏｎｔｏ  ｐｈｙｓｉｃａｌ  ｃｈａｎｎｅｌｓ（ＴＤＤ）」（ＴＤＤにおける物理チャネルの構造を示す−１０ｍｓｅｃフレームなど）
［２５．３２１］  ３Ｇ  ＴＳ  ２５．３２１、ＭＡＣ  ｐｒｏｔｏｃｏｌ  ｓｐｅｃｉｆｉｃａｔｉｏｎ
［２５．３３１］  ３Ｇ  ＴＳ  ２５．３３１、ＲＲＣ  ｐｒｏｔｏｃｏｌ  ｓｐｅｃｉｆｉｃａｔｉｏｎ
［２５．４３３］  ３Ｇ  ＴＳ  ２５．４３３、ＮＢＡＰ  ｐｒｏｔｏｃｏｌ  ｓｐｅｃｉｆｉｃａｔｉｏｎ
［２５．４３５］  ３Ｇ  ＴＳ  ２５．４３５、Ｉｕｂ  ｕｓｅｒ  ｐｌａｎｅ  ｐｒｏｔｏｃｏｌｓ  ｆｏｒ  Ｃｏｍｍｏｎ  Ｔｒａｎｓｐｏｒｔ  Ｃｈａｎｎｅｌ  ｄａｔａ  ｓｔｒｅａｍ
【図面の簡単な説明】
【図１】  ＵＭＴＳの論理構造である。
【図２】  ＴＤＤモードのための無線インタフェースの構造である。
【図３】  基地局ノードＢの論理モデルである。
【図４】  ＰＤＳＣＨセットのダイナミックなマッピングを示す。
【符号の説明】
ＮＢ  ＣＰ    ノードＢ制御ポート
Ｉｕｂ  ＲＤＰ    Ｉｕｂ  ＲＡＣＨデータポート
Ｉｕｂ  ＦＤＰ    Ｉｕｂ  ＦＡＣＨデータポート
Ｉｕｂ  ＰＣＨ  ＤＰ    Ｉｕｂ  ＰＣＨデータポート
Ｉｕｂ  ＤＳＣＨ  ＤＰ    Ｉｕｂ  ＤＳＣＨデータポート
Ｉｕｂ  ＴＤＤ  ＵＳＣＨ  ＤＰ    Ｉｕｂ  ＴＤＤ  ＵＳＣＨデータポート
ＣＣＰ    通信制御ポート
【図１】
0004313972.tif 000002
【図２】
0004313972.tif 000003
【図３】
0004313972.tif 000004
【図４】
0004313972.tif 000005